(57)【特許請求の範囲】
【請求項１】
情報やデータの入力及び表示を行う機能と電話機能とを一体にした携帯端末機器であって、
機器本体の表面に設けられたタッチパネルと、
前記タッチパネルを覆うように前記機器本体に開閉可能に取り付けられた蓋部材と、
前記蓋部材の前記タッチパネルに対応する位置に設けられ且つ前記蓋部材の表面側から前記タッチパネルの操作が可能な操作ボタン手段と、
前記機器本体の裏面に設けられた音声出力手段と、
前記機器本体の裏面に設けられ且つ前記音声出力手段を耳側に近付けた際に口側に位置するように配置された音声入力手段とを備え、
前記操作ボタン手段は、前記蓋部材にボタン収納凹部と、このボタン収納凹部の一方に位置する接点部用孔と、前記ボタン収納凹部の他方に位置するボタン固定用孔とを形成して構成したボタン装着部と、弾性材料からなるボタン本体に接点部と固定部とを互いに離間させてそれぞれ突設したボタン部材とを有し、前記ボタン部材を、その固定部を前記ボタン固定用孔に挿入すると共に、前記接点部を前記接点部用孔に挿入して前記蓋部材に取り付けて構成し、前記ボタン部材の裏面と前記ボタン収納凹部の傾斜面との間に前記接点部側で最大になる隙間を形成したことを特徴とする携帯端末機器。
【請求項２】
前記ボタン収納凹部の前記ボタン固定用孔側にリブ挿入溝部を形成し、前記ボタン本体の前記固定部側に支持用リブ部を形成し、前記ボタン部材を前記蓋部材に装着した際に、前記支持用リブ部を前記リブ挿入溝部に挿入して、前記ボタン部材の前記接点部側を前記支持用リブ部により持ち上げて、前記ボタン部材の裏面と前記ボタン収納凹部の傾斜面との間に隙間を形成した請求項１に記載の携帯端末機器。
【請求項３】
前記ボタン部材の裏面側に板ばねを装着した請求項１又は請求項２に記載の携帯端末機器。
【請求項４】
前記板ばねに突起部を設け、この板ばねを前記ボタン部材の裏面側に装着し、前記ボタン収納凹部の傾斜面にダイヤフラム位置決め溝を設けて、このダイヤフラム位置決め溝にダイヤフラムを設け、前記板ばねの前記突起部を前記ダイヤフラムに接するようにした請求項３に記載の携帯端末機器。
【発明の詳細な説明】
【０００１】
【発明の属する技術分野】
本発明は、情報やデータの入力及び表示を行う機能と電話機能とを一体にした携帯端末機器に関するものである。
【０００２】
【従来の技術】
従来のこの種の携帯端末機器にあっては、図２７及び図２８に示すように情報やデータの入力及び表示を行う機能と電話機能とを一体にした構成である。すなわち、携帯端末機器５０は機器本体５１を備えており、この機器本体５１の表面５１ａには、情報やデータの入力及び表示を行う機能を有するタッチパネル５２と、このタッチパネル５２を開閉可能に覆う蓋部材５３とが設けてある。また、機器本体５１の表面５１ａには、その左右に位置させてマイクロホン５５とスピーカ５６とが設けてある。
【０００３】
そして、携帯端末機器５０が電話着信すると、タッチパネル５２の表示部５２Ｂに相手先が表示される。この場合には、蓋部材５３を開いて、表示部５２Ｂの相手先表示を視認して、タッチパネル５２の電話ボタン部５２Ａを押し、また、右手で携帯端末機器５０を掴み、持ち替えることにより、携帯端末機器５０の表面５１ａを顔の右側に持ってきて、耳の付近にスピーカ５６を、口の横にマイクロホン５５をそれぞれ位置させて通話する。
【０００４】
また、タッチパネル５２を開閉可能に覆う蓋部材５３は機器本体５１の後部にヒンジ部材５８を介して取り付けてあり、蓋部材５３はロック機構５９により機器本体５７の前部に着脱可能にロックされるものである。そして、このロック機構５９は、図２９に示すように蓋部材５３の裏面にロック用爪部６０を設け、また、機器本体５１にフック部材６１を設けて、ロック用爪部６０をフック部材６１の片持ち状のフック６１Ａに引っ掛けることにより蓋部材５３を機器本体５１にロックしていた。
【０００５】
【発明が解決しようとする課題】
しかしながら、上記した従来例にあっては、携帯端末機器５０が電話着信すると、タッチパネル５２の表示部５２Ｂに相手先が表示されるが，この場合に、蓋部材５３を開いて、表示部５２Ｂの相手先表示を視認して、タッチパネル５２の電話ボタン部５２Ｂを押す必要があり、また、右手で携帯端末機器５０を掴み、耳の付近にスピーカ５６を、口の横にマイクロホン５５をそれぞれ位置させて通話する場合、携帯端末機器５０を持ち替える必要があって、操作が繁雑になるという問題点があった。
【０００６】
また、従来例では、ロック用爪部６０をフック部材６１の片持ち状のフック６１Ａに引っ掛けることにより蓋部材５３を機器本体５１にロックするために、安定した掛り量を確保することができず、蓋部材５３の機器本体５１へのロックを確実に行うことができないという問題点があった。
【０００７】
本発明は、上記の問題点に着目して成されたものであって、その目的とするところは、携帯端末機器を掴んだ手で持ち替えることなくそのまま通話することができて、操作を簡単にすることができる携帯端末機器を提供することにある。
【０００９】
【課題を解決するための手段】
上記の課題を解決するために、請求項１の発明に係る携帯端末機器は、情報やデータの入力及び表示を行う機能と電話機能とを一体にした携帯端末機器であって、機器本体の表面に設けられたタッチパネルと、前記タッチパネルを覆うように前記機器本体に開閉可能に取り付けられた蓋部材と、前記蓋部材の前記タッチパネルに対応する位置に設けられ且つ前記蓋部材の表面側から前記タッチパネルの操作が可能な操作ボタン手段と、前記機器本体の裏面に設けられた音声出力手段と、前記機器本体の裏面に設けられ且つ前記音声出力手段を耳側に近付けた際に口側に位置するように配置された音声入力手段とを備え、前記操作ボタン手段は、前記蓋部材にボタン収納凹部と、このボタン収納凹部の一方に位置する接点部用孔と、前記ボタン収納凹部の他方に位置するボタン固定用孔とを形成して構成したボタン装着部と、弾性材料からなるボタン本体に接点部と固定部とを互いに離間させてそれぞれ突設したボタン部材とを有し、前記ボタン部材を、その固定部を前記ボタン固定用孔に挿入すると共に、前記接点部を前記接点部用孔に挿入して前記蓋部材に取り付けて構成し、前記ボタン部材の裏面と前記ボタン収納凹部の傾斜面との間に前記接点部側で最大になる隙間を形成したことを特徴とする。
【００１２】
また、上記の課題を解決するために、請求項２の発明に係る携帯端末機器は、請求項１に記載の携帯端末機器において、ボタン収納凹部の前記ボタン固定用孔側にリブ挿入溝部を形成し、ボタン本体の固定部側に支持用リブ部を形成し、ボタン部材を蓋部材に装着した際に、前記支持用リブ部を前記リブ挿入溝部に挿入して、前記ボタン部材の前記接点部側を前記支持用リブ部により持ち上げて、前記ボタン部材の裏面と前記ボタン収納凹部の傾斜面との間に隙間を形成した。
【００１３】
また、上記の課題を解決するために、請求項３の発明に係る携帯端末機器は、請求項１又は請求項２に記載の携帯端末機器において、ボタン部材の裏面側に板ばねを装着した。
【００１４】
また、上記の課題を解決するために、請求項４の発明に係る携帯端末機器は、請求項３に記載の携帯端末機器において、板ばねに突起部を設け、この板ばねをボタン部材の裏面側に装着し、ボタン収納凹部の傾斜面にダイヤフラム位置決め溝を設けて、このダイヤフラム位置決め溝にダイヤフラムを設け、前記板ばねの前記突起部を前記ダイヤフラムに接するようにした。
【００２０】
【発明の実施の形態】
以下、本発明の実施の形態を図面に基づいて説明する。
【００２１】
請求項１の発明に係る携帯端末機器は、情報やデータの入力及び表示を行う機能と電話機能とを一体にした携帯端末機器であって、機器本体の表面に設けられたタッチパネルと、前記タッチパネルを覆うように前記機器本体に開閉可能に取り付けられた蓋部材と、前記蓋部材の前記タッチパネルに対応する位置に設けられ且つ前記蓋部材の表面側から前記タッチパネルの操作が可能な操作ボタン手段と、前記機器本体の裏面に設けられた音声出力手段と、前記機器本体の裏面に設けられ且つ前記音声出力手段を耳側に近付けた際に口側に位置するように配置された音声入力手段とを備え、前記操作ボタン手段は、前記蓋部材にボタン収納凹部と、このボタン収納凹部の一方に位置する接点部用孔と、前記ボタン収納凹部の他方に位置するボタン固定用孔とを形成して構成したボタン装着部と、弾性材料からなるボタン本体に接点部と固定部とを互いに離間させてそれぞれ突設したボタン部材とを有し、前記ボタン部材を、その固定部を前記ボタン固定用孔に挿入すると共に、前記接点部を前記接点部用孔に挿入して前記蓋部材に取り付けて構成し、前記ボタン部材の裏面と前記ボタン収納凹部の傾斜面との間に前記接点部側で最大になる隙間を形成したことを特徴とする。
【００２２】
かかる構成により、手で携帯端末機器を掴み、そのまま、携帯端末機器の裏面を顔の側面に持ってくると、耳の付近に音声出力手段が、口の横に音声入力手段がそれぞれ位置することになる。したがって、携帯端末機器を掴んだ手で持ち替えることなくそのまま通話することができて、操作を簡単にすることができる。
【００２３】
この場合、電話着信は、操作ボタン手段を人差し指で押してタッチパネルの、例えば、電話ボタン部を押すことにより行うことができる。
【００２６】
また、かかる構成により、ボタン部材が押されない状態では、ボタン部材の接点部側が最大になる隙間となるように、ボタン部材の裏面とボタン収納凹部の傾斜面との間には隙間が存在するが、ボタン部材が押されると、ボタン部材が弾性変形して傾斜面に当接して接点部がタッチパネル側に突出し、この接点部がタッチパネルを押す。このようにボタン部材にシーソー式のスイッチ機能となるためにタッチパネルの端押しが可能になるし、また、ボタン構成を蓋部材と同じ厚さにすることが可能であり、厚み方向の寸法やデザインを変更せずに機能を実現できる。
【００２７】
また、請求項２の発明に係る携帯端末機器は、請求項１に記載の携帯端末機器において、ボタン収納凹部のボタン固定用孔側にリブ挿入溝部を形成し、ボタン本体の固定部側に支持用リブ部を形成し、ボタン部材を蓋部材に装着した際に、前記支持用リブ部を前記リブ挿入溝部に挿入して、前記ボタン部材の前記接点部側を前記支持用リブ部により持ち上げて、前記ボタン部材の裏面と前記ボタン収納凹部の傾斜面との間に隙間を形成した。
【００２８】
かかる構成により、上記した請求項１の発明の作用効果と同様な作用効果を奏し得るばかりか、ボタン部材が押されない状態では、ボタン部材の接点部側が、支持用リブ部により持ち上げられていて、ボタン部材の裏面とボタン収納凹部の傾斜面との間には隙間が存在するが、ボタン部材が押されると、ボタン部材が弾性変形して傾斜面に当接して接点部がタッチパネル側に突出し、この接点部がタッチパネルを押す。このようにボタン部材にシーソー式のスイッチ機能となるためにタッチパネルの端押しが可能になる。
【００２９】
また、請求項３の発明に係る携帯端末機器は、請求項１又は請求項２に記載の携帯端末機器において、ボタン部材の裏面側に板ばねを装着した。
【００３０】
かかる構成により、上記した請求項１及び請求項２の発明の作用効果と同様な作用効果を奏し得るばかりか、板ばねをボタン部材に装着することにより、このボタン部材の材質の経年変化や温湿度による環境特性を補い、ボタン部材のスイッチ耐久性を向上させることができる。
【００３１】
また、請求項４の発明に係る携帯端末機器は、請求項３に記載の携帯端末機器において、板ばねに突起部を設け、この板ばねをボタン部材の裏面側に装着し、ボタン収納凹部の傾斜面にダイヤフラム位置決め溝を設けて、このダイヤフラム位置決め溝にダイヤフラムを設け、前記板ばねの前記突起部を前記ダイヤフラムに接するようにした。
【００３２】
かかる構成により、上記した請求項３の発明の作用効果と同様な作用効果を奏し得るばかりか、板ばねをボタン部材に装着することにより、このボタン部材の材質の経年変化や温湿度による環境特性を補い、ボタン部材のスイッチ耐久性を向上させることができ、また、ボタン部材を押した際に、突起部によりダイヤフラムが押されて反転しクリック感を発生させ、ボタン部材の操作感覚を向上させることができる。
【００４１】
次に、本発明に係る携帯端末機器の実施の形態を説明する。
図１は本発明に係る携帯端末機器の表側から見た斜視図、図２は同携帯端末機器の裏側から見た斜視図、図３は同携帯端末機器において蓋部材を開いた状態を前方より見た斜視図である。なお、図面においてＸ１−Ｘ２を左右方向、Ｙ１−Ｙ２を前後方向とする。
【００４２】
本発明に係る携帯端末機器Ａは、情報やデータの入力及び表示を行う機能と電話機能とを一体にした構成である。すなわち、携帯端末機器は機器本体１を備えており、この機器本体１の表面１ａには、情報やデータの入力及び表示を行う機能を有するタッチパネル２と、ビクトＬＣＤ２−１と、タッチパネル２を開閉可能に覆う蓋部材３とが設けてある。また、機器本体１の左壁部１ｃにはアンテナ４が折畳み可能に取り付けてある。タッチパネル２には、表示部２Ｂと、操作ボタン部２Ｃとにより構成してあり、操作ボタン部２Ｃには、メール、パソコン通信、電話（電話ボタン部２Ｂ）、アドレス帳、システム設定、スケジュール、時計、光通信等の各ボタン部がある。
【００４３】
また、機器本体１の裏面１ｂには、図２、図９、図１０に示すように携帯端末機器Ａを持ち替えることなく通話できるように音声入力手段であるマイクロホン５と音声出力手段であるスピーカ６とが設けてある。すなわち、機器本体１の裏面１ｂの左側前部の隅角部にマイクロホン５が、右側後部の隅角部にスピーカ６がそれぞれ配設してある。
【００４４】
また、機器本体１の後壁部７には一対のヒンジ挿入溝部８が形成してあり、これらのヒンジ挿入溝部８の中間部にはヒンジ部材９がヒンジピン１０により回動可能に取り付けてあり、一対のヒンジ部材９の先部に前記蓋部材３の基端部３ａがヒンジピン１１により回動可能に取り付けてある。
【００４５】
そして、前記蓋部材３の面部３Ａには、タッチパネル２を透視するための窓部１２と、蓋部材３を閉じた状態でタッチパネル２を操作する操作ボタン機構１３と、蓋部材３を閉じた時に、この蓋部材３を機器本体１にロックする蓋ロック機構１４とが設けてある。
【００４６】
前記窓部１２は、蓋部材３の面部３Ａに形成された長方形状の開口部（図示せず）にパッキン部材１６をかいして透明プレート１７を装着して構成してある。
【００４７】
また、前記操作ボタン機構１３は、図１１乃至図１４に示すように蓋部材３の面部３Ａに形成されたボタン装着部１８にボタン部材１９を着脱可能に装着して構成してある。ボタン装着部１８は蓋部材３の面部３Ａの中央部の左寄りに形成してあって、ボタン収納凹部２０と、このボタン収納凹部２０の左側に位置する接点部用孔２１と、ボタン収納凹部２０の右側に位置するボタン固定用孔２２とを有している。
【００４８】
すなわち、ボタン収納凹部２０は、ボタン部材１９の平面形状に倣う略等辺三角形状を成しており、このボタン収納凹部２０の等辺三角形の頂部に接点部用孔２１が、等辺三角形の底辺部の中央にボタン固定用孔２２がそれぞれ設けてある。そして、ボタン収納凹部２０の面部は、ボタン固定用孔２２を形成した平坦部１５と、この平坦部１５から接点部用孔２１に向かって下方傾斜する傾斜面２３とから構成してある。
【００４９】
そして、前記接点部用孔２１は、孔部２１Ａと、蓋部材３の裏面３Ｂに形成された孔部２１Ａに同心の凹部２１Ｂとで構成してあり、また、ボタン固定用孔２２は、孔部２２Ａと、蓋部材３の裏面３Ｂに形成された孔部２２Ａに同心の凹部２２Ｂとで構成してある。また、ボタン収納凹部２０のボタン固定用孔２２側の部位には、平面Ｕ字形状のリブ挿入溝部２４が形成してある。
【００５０】
また、前記ボタン部材１９は、硬度６０〜８０度のシリコンゴムのような弾性部材もしくは同硬度の薄肉成形できる熱可塑性エラストマーから製作してある。このボタン部材１９は、図１１及び図１２に示すように平面略等辺三角形状を成すボタン本体１９Ａを有しており、このボタン本体１９Ａの等辺三角形の頂部に位置する部位には接点部２５が、等辺三角形の底辺部に位置する部位の中央には固定部２６がそれぞれ突設してある。
【００５１】
前記接点部２５は、ボタン本体１９Ａに突設された軸部２５Ａの先側に偏平な接点２５Ｂを形成して構成してあり、また、固定部２６は、ボタン本体１９Ａに突設された軸部２６Ａの先側に鍔部２６Ｂを形成して構成してある。また、ボタン本体１９Ａの固定部２６側の部位には支持用リブ部２７が形成してある。
【００５２】
そして、前記ボタン部材１９は、その固定部２６の軸部２６Ａをボタン固定用孔２２の孔部２２Ａに挿入すると共に、鍔部２６Ｂをボタン固定用孔２２の凹部２２Ｂに当接させ、また、接点部２５の軸部２５Ａを接点部用孔２１の孔部２１Ａに挿入すると共に、接点２５Ｂの周縁部を接点部用孔２１の凹部２１Ｂに当接させ、且つ支持用リブ部２７をリブ挿入溝部２４に挿入して蓋部材３に取り付けてある。この場合、前記ボタン部材１９の接点部２５側が、支持用リブ部２７により持ち上げられていて、ボタン部材１９の裏面とボタン収納凹部２０の傾斜面２３との間には隙間２８が形成してある。
【００５３】
前記蓋ロック機構１４は、蓋部材３に設けられたロック用係合部２９と、機器本体１に設けられてロック用係合部２９を係脱可能に係合する係合機構部３０とより構成してある。すなわち、蓋部材３の裏面の前側右部にロック用係合部２９が一体成形してある。このロック用係合部２９は、図１５に示すように左右方向Ｘ１−Ｘ２に向かう突起補強リブ３１と、前後方向Ｙ１−Ｙ２（蓋部材３の回動方向）（奥行き方向）に長いロック用突起部３２とを一体に成形した構成してあり、ロック用突起部３２の両側にはアンダーカット部３３が設けてあって、ロック用突起部３２はキノコ状断面を有している。
【００５４】
また、前記係合機構部３０は、機器本体１の表面の右側後部に位置する装着凹部３５と、この装着凹部３５内に装着されるフック部材３６で構成してある。すなわち、装着凹部３５は、図１７の（１）、（２）に示すように左右方向Ｘ１−Ｘ２に長い長方形状をなしており、装着凹部３５の後面部３５Ａの上縁部には引っ掛け部３７が、また、前面部３５Ｂにはフック抜け用突起部３８がそれぞれ形成してある。
【００５５】
また、フック部材３６は、対摩耗特性、滑り特性がよく且つばね性のあるＰＯＭ（ポリアセタール樹脂）やＰＡ（ポリアミド樹脂）で成形してある。そして、フック部材３６は装着プレート３９を有しており、この装着プレート３９の上部には覆い部４０が、下部にはフック保持部４１がそれぞれ形成してあって、このフック保持部４１にフック４２が一体に成形してある。このフック４２は一対のフック本体４２ａの先部にフック爪部４２ｂを形成して構成してあり、一対のフック爪部４２ｂは互いに対向していて、フック爪部４２ｂには誘込み用面取り部４３が設けてある。
【００５６】
このように構成されたフック部材３６は、図１７の（１）、（２）に示すように装着凹部３５内に装着してあり、この場合、装着プレート３９の上部の覆い部４０が引っ掛け部３７に引っ掛けてあり、フック抜け用突起部３８にフック４２の一対のフック本体４２ａの基部間の部位４２ｃが係合している。
【００５７】
そして、図４の仮想線に示すように前記ヒンジ部材９をヒンジピン１０で回動させて、ヒンジ部材９を機器本体１の後壁部７のヒンジ挿入溝部８に挿入し、更に、ヒンジ部材９の先部のヒンジピン１１で蓋部材３をタッチパネル２側に回動させて、図１８の（１）に示すようにロック用係合部２９のロック用突起部３２をフック部材３６のフック爪部４２ｂ間に落とし込み、更に、蓋部材３を押し付けることにより、ロック用突起部３２をフック爪部４２ｂの誘込み用面取り部４３に当接させて、一対のフック爪部４２ｂを開いてロック用突起部３２を一対のフック爪部４２ｂ間に挿入し、この挿入後に、一対のフック爪部４２ｂを弾性により閉じさせて、ロック用突起部３２の両側のアンダーカット部３３に当接させて一対のフック爪部４２ｂをに引っ掛けることにより、ロック用突起部２９をフック４２に係脱可能に係合して、蓋部材３が機器本体１に取り付けてある。
【００５８】
このように蓋部材３を機器本体１に取り付けてタッチパネル２を覆った状態では、前記ボタン部材１９の接点２５Ｂがタッチパネル２の電話ボタン部２Ａの上方に位置している。
【００５９】
次に、上記のように構成された携帯端末機器Ａの使用を電話機能を中心に説明する。
【００６０】
携帯端末機器Ａが電話着信すると、タッチパネル２の表示部２Ｂに相手先が表示される。この相手先の表示は、蓋部材３を開くことなく、この蓋部材３の窓部１２を通して視認することができる。
【００６１】
また、携帯端末機器Ａの機器本体１の裏面１ｂには、この携帯端末機器Ａを持ち替えることなく通話できるようにマイクロホン５とスピーカ６とが設けてある。すなわち、機器本体１の裏面１ｂの左側前部の隅角部にマイクロホン５が、右側後部の隅角部にスピーカ６がそれぞれ配設してあるために、図９に示すように右手Ｍで携帯端末機器Ａを掴み、図１０に示すようにアンテナ４を立てて、そのまま、携帯端末機器Ａの裏面１ｂを顔の右側に持ってくると、耳の付近にスピーカ６が、口の横にマイクロホン５がそれぞれ位置することになる。したがって、携帯端末機器Ａを掴んだ右手Ｍで持ち替えることなくそのまま通話することができる。
【００６２】
この場合、電話着信は、前記ボタン部材１９を右手Ｍの人差し指Ｎで押して、図１４に示すように接点部２５の接点２５Ｂでタッチパネル２の電話ボタン部２Ａの上電極イをした電極ロに接触させることにより行う。この場合、ボタン部材１９が押されない状態では、図１３に示すようにボタン部材１９の接点部２５側が、支持用リブ部２７により持ち上げられていて、ボタン部材１９の裏面とボタン収納凹部２０の傾斜面２３との間には隙間２８が存在するが、ボタン部材１９が押されると、図１４に示すようにボタン部材１９が弾性変形して傾斜面２３に当接して接点部２５がタッチパネル２側に突出し、この接点部２５の接点２５Ｂがタッチパネル２を押す。このようにボタン部材１９にシーソー式のスイッチ機能となるためにタッチパネル２の端押しが可能になる。
【００６３】
また、前記ボタン部材１９は、その固定部２６の軸部２６Ａをボタン固定用孔２２の孔部２２Ａに挿入すると共に、鍔部２６Ｂをボタン固定用孔２２の凹部２２Ｂに当接させ、また、接点部２５の軸部２５Ａを接点部用孔２１の孔部２１Ａに挿入すると共に、接点２５Ｂの周縁部を接点部用孔２１の凹部２１Ｂに当接させ、且つ支持用リブ部２７をリブ挿入溝部２４に挿入して蓋部材３に取り付けてあるために、ボタン構成を蓋部材３と同じ厚さにすることが可能であり、厚み方向の寸法やデザインを変更せずに機能を実現できる。
【００６４】
また、蓋部材３を閉める場合には、上記したようにロック用係合部２９のロック用突起部３２をフック部材３６のフック爪部４２ｂ間に落とし込み、更に、蓋部材３を押し付けることにより、ロック用突起部３２をフック爪部４２ｂの誘込み用面取り部４３に当接させて、一対のフック爪部４２ｂを開いてロック用突起部３２を一対のフック爪部４２ｂ間に挿入し、この挿入後に、一対のフック爪部４２ｂを弾性により閉じさせて、ロック用突起部３２の両側のアンダーカット部３３に当接させて一対のフック爪部４２ｂを引っ掛け部４０に引っ掛けることにより、ロック用突起部２９をフック４２に係脱可能に係合する。
【００６５】
したがって、従来の片側ロックに対し、一対のフック爪部４２ｂがロック用突起部２９を押さえ込むために安定した掛り量を確保することができて、蓋部材３の機器本体へのロックを確実に行うことができる。
【００６６】
また、蓋部材３のロック用突起部２９が奥行方向に長さを持っているために、蓋部材３の折畳み時に少しのずれやガタがあっても、確実にフック部材３６でロック用突起部２９を拾い込むことが可能になり、蓋部材３の機器本体へのロックを確実に行うことができる。
【００６７】
また、フック部材３６は、図１７の（１）、（２）に示すように装着凹部３５内に装着してあり、この場合、装着プレート３９の上部の覆い部４０が引っ掛け部３７に引っ掛けてあって、装着凹部３５の後面部３５Ａの上縁部を覆っているために、蓋部材３を閉める際に、ロック用突起部２９が、装着凹部３５の後面部３５Ａの上縁部に当たって、この部分の塗装を剥がすという不具合を防止することができる。
【００６８】
また、図１９乃至図２２に示すように板ばね（例えば、厚さ０．２ｍｍ程度のステンレス鋼板）４５をボタン部材１９の下に装着してもよい。すなわち、板ばね４５は、ボタン部材１９の平面形状に倣う略等辺三角形状を成しており、この板ばね４５の等辺三角形の頂部に相当する部位には切欠き状の係止部４６が、等辺三角形の底辺部に相当する部位の中央には孔４７がそれぞれ設けてある。そして、孔４７に、ボタン部材１９の固定部２６の軸部２６Ａを挿通させると共に、係止部４６をボタン部材１９の接点部２５の軸部２５Ａに係止して、板ばね４５をボタン部材１９に装着する。また、ボタン部材１９の表面に、隙間２８の部分を押させるための目安としての突起１９ａを複数設けてもよい。
【００６９】
このように、板ばね４５をボタン部材１９の下に装着することにより、このボタン部材１９の材質の経年変化や温湿度による環境特性を補い、ボタン部材１９のスイッチ耐久性を向上させることができる。
【００７０】
また、図２３乃至図２６に示すように板ばね４５の中央部に突起部４８を設け、この板ばね４５を、その孔４７に、ボタン部材１９の固定部２６の軸部２６Ａを挿通させると共に、係止部４６をボタン部材１９の接点部２５の軸部２５Ａに係止してボタン部材１９に装着し、また、ボタン収納凹部２０の傾斜面２３にダイヤフラム位置決め溝２３Ａを設けて、このダイヤフラム位置決め溝２３Ａにダイヤフラム４９を設け、板ばね４５の突起部４８をダイヤフラム４９に接するようにしてもよい。
【００７１】
この場合、板ばね４５をボタン部材１９の下に装着することにより、このボタン部材１９の材質の経年変化や温湿度による環境特性を補い、ボタン部材１９のスイッチ耐久性を向上させることができるばかりか、ボタン部材１９を押した際に、突起部４８によりダイヤフラム４９が押されて反転しクリック感を発生させ、ボタン部材１９の操作感覚を向上させることができる。
【００７２】
【発明の効果】
以上説明したように、請求項１の発明に係る携帯端末機器によれば、手で携帯端末機器を掴み、そのまま、携帯端末機器の裏面を顔の側面に持ってくると、耳の付近に音声出力手段が、口の横に音声入力手段がそれぞれ位置することになる。したがって、携帯端末機器を掴んだ手で持ち替えることなくそのまま通話することができて、操作を簡単にすることができる。
【００７３】
この場合、電話着信は、操作ボタン手段を人差し指で押してタッチパネルの、例えば、電話ボタン部を押すことにより行うことができる。
【００７５】
また、請求項１の発明に係る携帯端末機器によれば、ボタン部材が押されない状態では、ボタン部材の接点部側が最大になる隙間となるように、ボタン部材の裏面とボタン収納凹部の傾斜面との間には隙間が存在するが、ボタン部材が押されると、ボタン部材が弾性変形して傾斜面に当接して接点部がタッチパネル側に突出し、この接点部がタッチパネルを押す。このようにボタン部材にシーソー式のスイッチ機能となるためにタッチパネルの端押しが可能になるし、ボタン構成を蓋部材と同じ厚さにすることが可能であり、厚み方向の寸法やデザインを変更せずに機能を実現できる。
【００７６】
また、請求項２の発明に係る携帯端末機器によれば、上記した請求項１の発明の作用効果と同様な作用効果を奏し得るばかりか、ボタン部材が押されない状態では、ボタン部材の接点部側が、支持用リブ部により持ち上げられていて、ボタン部材の裏面とボタン収納凹部の傾斜面との間には隙間が存在するが、ボタン部材が押されると、ボタン部材が弾性変形して傾斜面に当接して接点部がタッチパネル側に突出し、この接点部がタッチパネルを押す。このようにボタン部材にシーソー式のスイッチ機能となるためにタッチパネルの端押しが可能になる。
【００７７】
また、請求項３の発明に係る携帯端末機器によれば、上記した請求項１及び２の発明の作用効果と同様な作用効果を奏し得るばかりか、板ばねをボタン部材に装着することにより、このボタン部材の材質の経年変化や温湿度による環境特性を補い、ボタン部材のスイッチ耐久性を向上させることができる。
【００７８】
また、請求項４の発明に係る携帯端末機器によれば、上記した請求項３の発明の作用効果と同様な作用効果を奏し得るばかりか、板ばねをボタン部材に装着することにより、このボタン部材の材質の経年変化や温湿度による環境特性を補い、ボタン部材のスイッチ耐久性を向上させることができ、また、ボタン部材を押した際に、突起部によりダイヤフラムが押されて反転しクリック感を発生させ、ボタン部材の操作感覚を向上させることができる。
【図面の簡単な説明】
【図１】本発明に係る携帯端末機器の表側から見た斜視図
【図２】同携帯端末機器の裏側から見た斜視図
【図３】同携帯端末機器において蓋部材を開いた状態を前方から見た斜視図
【図４】同携帯端末機器において蓋部材を開いた状態を横から見た側面図
【図５】同携帯端末機器において蓋部材を開いた状態を後方から見た斜視図
【図６】同携帯端末機器において蓋部材を閉じた状態を後方から見た斜視図
【図７】同携帯端末機器の平面図
【図８】同携帯端末機器における蓋部材の裏面図
【図９】同携帯端末機器を右手で掴んだ状態の斜視図
【図１０】同携帯端末機器を右手で掴んで通話する状態の説明図
【図１１】同携帯端末機器における蓋部材の操作ボタン機構の分解状態の断面図
【図１２】同操作ボタン機構におけるボタン部材の平面図
【図１３】同操作ボタン機構におけるボタン押し操作前の断面図
【図１４】同操作ボタン機構におけるボタン押し操作後の断面図
【図１５】同携帯端末機器における蓋ロック機構のロック用突起部の斜視図
【図１６】同携帯端末機器における蓋ロック機構の係合機構部の分解状態の斜視図
【図１７】（１）は同蓋ロック機構の係合前の断面図
（２）は（１）のＴ−Ｔ線に沿う断面図
【図１８】（１）は同蓋ロック機構の係合後の断面図
（２）は（１）のＵ−Ｕ線に沿う断面図
【図１９】同携帯端末機器における蓋部材の操作ボタン機構の他の実施例の分解状態の断面図
【図２０】同操作ボタン機構における板ばねの平面図
【図２１】同操作ボタン機構におけるボタン押し操作前の断面図
【図２２】同操作ボタン機構におけるボタン押し操作後の断面図
【図２３】同携帯端末機器における蓋部材の操作ボタン機構の他の実施例の分解状態の断面図
【図２４】同操作ボタン機構における板ばねの平面図
【図２５】同操作ボタン機構におけるボタン押し操作前の断面図
【図２６】同操作ボタン機構におけるボタン押し操作後の断面図
【図２７】従来の携帯端末機器の斜視図
【図２８】同携帯端末機器の蓋部材を開いた状態の斜視図
【図２９】同携帯端末機器の蓋ロック機構の断面図
【符号の説明】
１  機器本体
２  タッチパネル
３  蓋部材
５  マイクロホン（音声入力手段）
６  スピーカ（音声出力手段）
１２  窓部
１３  操作ボタン機構
Ａ  携帯端末機器
【図１】
0003586089.tif 000002
【図２】
0003586089.tif 000003
【図３】
0003586089.tif 000004
【図４】
0003586089.tif 000005
【図５】
0003586089.tif 000006
【図６】
0003586089.tif 000007
【図７】
0003586089.tif 000008
【図８】
0003586089.tif 000009
【図９】
0003586089.tif 000010
【図１０】
0003586089.tif 000011
【図１１】
0003586089.tif 000012
【図１２】
0003586089.tif 000013
【図１３】
0003586089.tif 000014
【図１４】
0003586089.tif 000015
【図１５】
0003586089.tif 000016
【図１６】
0003586089.tif 000017
【図１７】
0003586089.tif 000018
【図１８】
0003586089.tif 000019
【図１９】
0003586089.tif 000020
【図２０】
0003586089.tif 000021
【図２１】
0003586089.tif 000022
【図２２】
0003586089.tif 000023
【図２３】
0003586089.tif 000024
【図２４】
0003586089.tif 000025
【図２５】
0003586089.tif 000026
【図２６】
0003586089.tif 000027
【図２７】
0003586089.tif 000028
【図２８】
0003586089.tif 000029
【図２９】
0003586089.tif 000030